(57)【要約】      （修正有）【課題】光レセプタクルを構成する固定部品付きフェルールを小型化することで、光モジュールの筐体内に光ファイバの余長部を収容する空間を確保する。【解決手段】図３Ｂにおいて、光ファイバ１０の端部を保持するフェルール２３と、前記フェルールを保持するフェルール保持部２５と、前記光ファイバが挿通されるチューブ２６とを備える固定部品とを有する固定部品付きフェルールであって、前記フェルールは、前記チューブの端部が挿入され、前記チューブを引き留める引き留め部３９を備えることを特徴とする固定部品付きフェルールである。【選択図】図３
2019128466.tif 000002
【特許請求の範囲】
【請求項１】
光ファイバの端部を保持するフェルールと、
前記フェルールを保持するフェルール保持部と、前記光ファイバが挿通されるチューブとを備える固定部品と
を有する固定部品付きフェルールであって、
前記フェルールは、前記チューブの端部が挿入され、前記チューブを引き留める引き留め部を備える
ことを特徴とする固定部品付きフェルール。
【請求項２】
請求項１に記載の固定部品付きフェルールであって、
前記フェルールが、前記フェルール保持部に挿通されている
ことを特徴とする固定部品付きフェルール。
【請求項３】
請求項２に記載の固定部品付きフェルールであって、
前記フェルールが、前記フェルール保持部に圧入により固定されている
ことを特徴とする固定部品付きフェルール。
【請求項４】
請求項１〜３のいずれかに記載の固定部品付きフェルールであって、
前記チューブの前記端部の外周部には、起伏部が設けられている
ことを特徴とする固定部品付きフェルール。
【請求項５】
請求項４に記載の固定部品付きフェルールであって、
前記起伏部が、前記チューブの周方向に沿って帯状に設けられ、前記起伏部の表面が前記外周部の表面よりも前記チューブの中心側に位置している
ことを特徴とする固定部品付きフェルール。
【請求項６】
光ファイバの端部を保持するフェルールと、
前記フェルールを保持するフェルール保持部と、
前記光ファイバが挿通されるチューブと
前記フェルール保持部を収容するハウジングと
を有する光コネクタレセプタクルであって、
前記フェルールは、前記チューブの端部が挿入され、前記チューブを引き留める引き留め部を備える
ことを特徴とする光コネクタレセプタクル。
【請求項７】
光ファイバの端部を保持するフェルールと、
前記フェルールを保持するフェルール保持部と、前記光ファイバが挿通されるチューブとを備える固定部品と
を有する固定部品付きフェルールの製造方法であって、
前記フェルール保持部に前記フェルールを取り付けること、
前記フェルールは前記チューブを引き留める引き留め部を備え、前記チューブの端部を前記引き留め部に挿入し、接着すること
を特徴とする固定部品付きフェルールの製造方法。
【発明の詳細な説明】
【技術分野】
【０００１】
本発明は、固定部品付きフェルール、光コネクタレセプタクル及び固定部品付きフェルールの製造方法に関する。
【背景技術】
【０００２】
光トランシーバ等の光モジュールでは、光コネクタプラグ（以下、単に「光プラグ」と呼ぶことがある）が光モジュールに対して着脱可能となるように、光コネクタレセプタクル（以下、単に「光レセプタクル」と呼ぶことがある）が設けられていることがある。このような光モジュールの内部では、送受信モジュール等で構成される光デバイス部品と、光レセプタクルとが光ファイバを介して接続されている。
【０００３】
このような光レセプタクルを有する光モジュールとして、例えば、特許文献１には、光モジュールの筐体内に光ファイバの余長部を収容する空間を確保した光モジュールが開示されている。
【先行技術文献】
【特許文献】
【０００４】
【特許文献１】特開２０１５−５５８３４号公報
【発明の概要】
【発明が解決しようとする課題】
【０００５】
近年、特許文献１に記載されているような光モジュールでは、筐体のさらなる小型化が求められている。このような光モジュールの筐体の小型化に伴い、筐体内の光ファイバの余長部を収容する空間もより小さくなる。余長部を収容する空間が小さくなると、光ファイバの曲げ半径が小さくなってしまい、その結果、筐体内の光ファイバの曲げ損失が増大してしまう。
【０００６】
本発明は、光レセプタクルを構成する固定部品付きフェルールを小型化することで、光モジュールの筐体内に光ファイバの余長部を収容する空間を確保することを目的とする。
【課題を解決するための手段】
【０００７】
本発明の幾つかの実施形態は、光ファイバの端部を保持するフェルールと、前記フェルールを保持するフェルール保持部と、前記光ファイバが挿通されるチューブとを備える固定部品とを有する固定部品付きフェルールであって、前記フェルールは、前記チューブの端部が挿入され、前記チューブを引き留める引き留め部を備えることを特徴とする固定部品付きフェルールである。
【０００８】
本発明の他の特徴については、後述する明細書及び図面の記載により明らかにする。
【発明の効果】
【０００９】
本発明の幾つかの実施形態によれば、光レセプタクルを構成する固定部品付きフェルールを小型化することで、光モジュールの筐体内に光ファイバの余長部を収容する空間を確保することができる。
【図面の簡単な説明】
【００１０】
【図１】図１は、第１実施形態の光レセプタクル２０が設けられた光モジュール１を示す図である。
【図２】図２は、第１実施形態の光レセプタクル２０の分解斜視図である。
【図３】図３Ａは、比較例の光レセプタクル２０の断面図である。図３Ｂは、第１実施形態の光レセプタクル２０の断面図である。
【図４】図４は、第１実施形態の固定部品付きフェルール２２の製造方法のフロー図である。
【図５】図５Ａは、フェルール２３において、チューブ２６の端部が挿入された部分を示す断面図である。図５Ｂは、チューブ２６の起伏部４３を示す断面図である。
【図６】図６Ａは、比較例の光レセプタクル２０の断面図である。図６Ｂは、第２実施形態の光レセプタクル２０の断面図である。
【発明を実施するための形態】
【００１１】
後述する明細書及び図面の記載から、少なくとも以下の事項が明らかとなる。
【００１２】
光ファイバの端部を保持するフェルールと、前記フェルールを保持するフェルール保持部と、前記光ファイバが挿通されるチューブとを備える固定部品とを有する固定部品付きフェルールであって、前記フェルールは、前記チューブの端部が挿入され、前記チューブを引き留める引き留め部を備えることを特徴とする固定部品付きフェルールが明らかとなる。このような固定部品付きフェルールによれば、光レセプタクルを構成する固定部品付きフェルールを小型化することで、光モジュールの筐体内に光ファイバの余長部を収容する空間を確保することができる。
【００１３】
前記フェルールが、前記フェルール保持部に挿通されていることが望ましい。これにより、光レセプタクルを構成する固定部品付きフェルールを小型化することで、光モジュールの筐体内に光ファイバの余長部を収容する空間を確保することができる。
【００１４】
前記フェルールが、前記フェルール保持部に圧入により固定されていることが望ましい。これにより、光レセプタクルを構成する固定部品付きフェルールをさらに小型化することができる。
【００１５】
前記チューブの前記端部の外周部には、起伏部が設けられていることが望ましい。これにより、フェルールがチューブを引き留める引き留め力を高めることができる。
【００１６】
前記起伏部が、前記チューブの周方向に沿って帯状に設けられ、前記起伏部の表面が前記外周部の表面よりも前記チューブの中心側に位置していることが望ましい。これにより、フェルールがチューブを引き留める引き留め力を高めることができる。
【００１７】
光ファイバの端部を保持するフェルールと、前記フェルールを保持するフェルール保持部と、前記光ファイバが挿通されるチューブと前記フェルール保持部を収容するハウジングとを有する光コネクタレセプタクルであって、前記フェルールは、前記チューブの端部が挿入され、前記チューブを引き留める引き留め部を備えることを特徴とする光コネクタレセプタクルが明らかとなる。このような光コネクタレセプタクルによれば、光モジュールの筐体内に光ファイバの余長部を収容する空間を確保することができる。
【００１８】
光ファイバの端部を保持するフェルールと、前記フェルールを保持するフェルール保持部と、前記光ファイバが挿通されるチューブとを備える固定部品とを有する固定部品付きフェルールの製造方法であって、前記フェルール保持部に前記フェルールを取り付けること、前記フェルールは前記チューブを引き留める引き留め部を備え、前記チューブの端部を前記引き留め部に挿入し、接着することを特徴とする固定部品付きフェルールの製造方法が明らかとなる。このような固定部品付きフェルールの製造方法によれば、光レセプタクルを構成する固定部品付きフェルールを小型化することで、光モジュールの筐体内に光ファイバの余長部を収容する空間を確保することができる。
【００１９】
＝＝＝第１実施形態＝＝＝
＜光モジュール１の全体構成＞
図１は、第１実施形態の光レセプタクル２０が設けられた光モジュール１を示す図である。図２は、第１実施形態の光レセプタクル２０の分解斜視図である。
【００２０】
以下の説明では、図に示すように各方向を定義する。すなわち、光レセプタクル２０に取り付けられる光ファイバ１０の長手方向を「前後方向」とし、光ファイバ１０が保持されるフェルール２３において、フェルール端面３６の側を「前」とし、逆側（フェルール２３から光ファイバ１０が延び出る側）を「後」とする（図２参照）。なお、前後方向は、光レセプタクル２０に着脱する光プラグの着脱方向でもある。
【００２１】
光モジュール１は、光プラグが着脱可能な光部品である。本実施形態における光モジュール１は、例えば、光トランシーバである。但し、光モジュール１は、光トランシーバに限られず、光プラグが着脱可能な光部品であればよい。
【００２２】
光モジュール１は、筐体２と、光デバイス部品６と、光ファイバ１０と、光レセプタクル２０とを有する（図１参照）。
【００２３】
筐体２は、光デバイス部品６と、光ファイバ１０と、光レセプタクル２０とを収容する部材である。光レセプタクル２０に対して光プラグを接続するために、筐体２には、光プラグが挿入される開口部（不図示）が形成されていてもよい。また、光レセプタクル２０に接続された光プラグが抜け落ちることを抑制するために、筐体２には、光プラグがラッチされるラッチ部（不図示）が形成されていてもよい。
【００２４】
本実施形態における光デバイス部品６は、例えば、光送受信モジュール（光送信モジュール及び光受信モジュール）である。但し、光デバイス部品６は、光送受信モジュールに限られず、他の光デバイス部品であってもよい。図１に示すように、一端において一対の光レセプタクル２０（光レセプタクル２０Ａ及び光レセプタクル２０Ｂ）にそれぞれ接続された複数の光ファイバ１０が、他端において光デバイス部品６に接続されている。複数の光ファイバ１０のうち、一方の光ファイバ１０が光信号の送信のために光デバイス部品６に接続され、他方の光ファイバ１０が光信号の受信のために光デバイス部品６に接続されている。
【００２５】
光ファイバ１０は、光デバイス部品６と、光レセプタクル２０とを光接続する光ファイバである。本実施形態における光ファイバ１０は、例えば、シングルモードファイバである。さらに、本実施形態における光ファイバ１０は、偏波保持ファイバであってもよい。但し、光ファイバ１０は、シングルモードファイバ（偏波保持ファイバ）に限られず、それ以外の光ファイバであってもよい。前述した通り、光モジュール１の筐体２の内部において複数の光ファイバ１０が収容されている。複数の光ファイバ１０のうち、それぞれの光ファイバ１０は、一端において光レセプタクル２０（光レセプタクル２０Ａ又は光レセプタクル２０Ｂ）に接続されている。また、複数の光ファイバ１０のうち、それぞれの光ファイバ１０は、他端において光デバイス部品６（光送信モジュール又は光受信モジュール）に接続されている。
【００２６】
図１に示すように、複数の光ファイバ１０のうち、それぞれの光ファイバ１０は、余長部を有している。光ファイバ１０の余長部は、光デバイス部品６の周りを取り回されるようにして光モジュール１の筐体２に収容されている。具体的には、図１に示す光レセプタクル２０Ａに接続された光ファイバ１０の余長部は、光デバイス部品６の周りを時計回りにほぼ２周して、光デバイス部品６に接続されている。一方、光レセプタクル２０Ｂに接続された光ファイバ１０の余長部は、光デバイス部品６の周りを反時計回りにほぼ２周して、光デバイス部品６に接続されている。なお、図１に示す余長部収容領域３では、光ファイバ１０の曲げ部分が収容されることになる。
【００２７】
光レセプタクル２０は、光プラグが着脱可能なレセプタクル側の光コネクタである。図１に示すように、本実施形態における光モジュール１には、一対の光レセプタクル２０（光レセプタクル２０Ａ及び光レセプタクル２０Ｂ）が設けられている。一対の光レセプタクル２０のうち、一方の光レセプタクル２０が光送信用の光ファイバ１０が接続された光レセプタクルであり、他方の光レセプタクル２０が光受信用の光ファイバ１０が接続された光レセプタクルである。但し、光モジュール１には、光レセプタクル２０が一対設けられることに限られず、光レセプタクル２０が一つのみ設けられていてもよい。また、光モジュール１には、３以上の光レセプタクル２０が設けられていてもよい。
【００２８】
＜光レセプタクル２０の構成＞
図２に示すように、光レセプタクル２０は、ハウジング２１と、スリーブ２７と、フェルール２３と、フェルール保持部２５及びチューブ２６からなる固定部品２４とを有する。なお、固定部品２４が取り付けられたフェルール２３を、固定部品付きフェルール２２と呼ぶことがある。
【００２９】
ハウジング２１は、フェルール保持部２５を保持する部材である。なお、後述するように、フェルール保持部２５はフェルール２３を保持し、フェルール２３にはチューブ２６が引き留められている。したがって、ハウジング２１は、固定部品付きフェルール２２を保持する部材でもある。また、ハウジング２１は、光モジュール１の筐体２に固定される部材でもある。光モジュール１の筐体２に固定された光レセプタクル２０のハウジング２１に対して光プラグのプラグハウジング（不図示）を嵌合させることで、光レセプタクル２０と光プラグとが光接続される。ハウジング２１は、プラグ挿入部３１と、フランジ部３２と、固定部品保持部３３とを有する。
【００３０】
プラグ挿入部３１は、光プラグのプラグハウジング（不図示）に挿入される部位である。プラグ挿入部３１は、ハウジング２１において前側に位置する部位である。プラグ挿入部３１を光プラグのプラグハウジング（不図示）に挿入することで、プラグ挿入部３１は、プラグハウジング（不図示）の内壁面に嵌合する。これにより、光プラグが、光レセプタクル２０に対して前後方向に垂直な方向（上下方向及び左右方向）に位置合わせされる。したがって、光レセプタクル２０のフェルール２３のフェルール端面３６にプラグ側フェルール端面を精度良く対向させることができる。なお、プラグ挿入部３１の内部には、スリーブ２７が収容されている。
【００３１】
フランジ部３２は、光モジュール１の筐体２に固定される部位である。フランジ部３２は、ハウジング２１の本体（プラグ挿入部３１及び固定部品保持部３３）の外周面から外側に突出している部位である。また、フランジ部３２は、ハウジング２１においてプラグ挿入部３１と固定部品保持部３３との間に設けられた部位である。フランジ部３２は、例えば光モジュール１の筐体２に設けられたレセプタクル保持部分に嵌合することで、フランジ部３２が光モジュール１の筐体２に固定される。
【００３２】
固定部品保持部３３は、フェルール保持部２５（固定部品付きフェルール２２）を保持する部位である。固定部品保持部３３は、ハウジング２１において後側に位置する部位である。前述したように、フェルール保持部２５はフェルール２３を保持し、フェルール２３にはチューブ２６が引き留められている。したがって、固定部品保持部３３は、固定部品付きフェルール２２を保持する部位でもある。図２に示すように、固定部品保持部３３は六角柱状に形成されている。但し、固定部品保持部３３の形状はこれに限られない。
【００３３】
スリーブ２７は、フェルール２３に突き合わせ接続される不図示の光プラグ側フェルールを案内する部材である。図２に示すように、スリーブ２７は前後方向にスリット２８が設けられた円筒状に形成されている。後述する図３Ｂに示すように、スリーブ２７は、ハウジング２１に収容されている。また、スリーブ２７の後側部分に、フェルール２３が挿入されている。そして、スリーブ２７の前側部分に不図示の光プラグ側フェルールが挿入され、フェルール（不図示の光プラグ側フェルール及びフェルール２３）の端面同士が突き当たることになる。
【００３４】
フェルール２３は、光ファイバ１０の端部を保持する部材である。また、本実施形態では、フェルール２３は、チューブ２６の端部を引き留める部材でもある。フェルール２３の詳細な構成については、後述する。
【００３５】
フェルール保持部２５は、フェルール２３を保持する部材である。後述する図３Ｂに示すように、フェルール保持部２５は、フェルール２３が挿入されることでフェルール２３を保持している。また、フェルール保持部２５は、ハウジング２１に保持されている。なお、フェルール保持部２５と、ハウジング２１とは一体的に形成されていてもよい。
【００３６】
チューブ２６は、光ファイバ１０が光レセプタクル２０から延び出る部分を保護する部材である。チューブ２６は、内部に光ファイバ１０が挿通され、接着材で固定される。本実施形態では、後述する図３Ｂに示すように、チューブ２６の前側の端部は、フェルール２３に挿入され、接着剤によりフェルール２３に対して引き留められている。
【００３７】
＜比較例の光レセプタクル２０＞
図３Ａは、比較例の光レセプタクル２０の断面図である。本比較例の光レセプタクル２０では、フェルール保持部２５がフェルール２３及びチューブ２６の両方を保持している。すなわち、図３Ａに示すように、フェルール保持部２５の前側部分でフェルール２３が保持され、フェルール保持部２５の後側部分でチューブ２６が保持されている。言い換えると、フェルール保持部２５の同一の挿通孔に対してフェルール２３とチューブ２６とがそれぞれ両側から挿入され、それぞれ保持されていることになる。すなわち、フェルール保持部２５は、フェルール２３とチューブ２６とを前後方向に直列に保持している。
【００３８】
また、本比較例では、フェルール２３及びチューブ２６がフェルール保持部２５に対して抜けることを抑制するために、フェルール２３及びチューブ２６がフェルール保持部２５に対して引き留められている。つまり、本比較例では、例えば接着剤による接合により、フェルール２３及びチューブ２６がフェルール保持部２５に対して固定されている。又は、フェルール２３及びチューブ２６がフェルール保持部２５の挿通孔に対して圧入により挿入され、フェルール２３及びチューブ２６とフェルール保持部２５との摩擦力により、フェルール２３及びチューブ２６がフェルール保持部２５に対して固定されている。
【００３９】
このとき、フェルール保持部２５の挿通孔に対して挿入される、フェルール２３及びチューブ２６の外周部の領域（以下、「引き留め領域」と呼ぶことがある）の表面積が大きいほど、フェルール２３及びチューブ２６とフェルール保持部２５との密着力は大きくなる。したがって、フェルール２３及びチューブ２６とフェルール保持部２５との間に所定の密着力を付与するためには、引き留め領域の表面積を所定量確保する必要がある。特に、引き留め領域の前後方向の長さ（図３Ａに示すＬ１及びＬ２）を十分に確保することにより、フェルール保持部２５の挿通孔に対して前後方向両側から挿入されたフェルール２３及びチューブ２６を、所定の密着力で引き留めることができる。すなわち、所定量のＬ１及びＬ２を確保するために、フェルール保持部２５の前後方向の長さを十分に大きくすることで、フェルール２３及びチューブ２６を所定の密着力で引き留めることができる。
【００４０】
しかし、フェルール保持部２５の前後方向の長さを大きくすると、フェルール保持部２５が、前述した光モジュール１の余長部収容領域３（図１参照）と干渉する恐れがある。一方、余長部収容領域３に関しても、光ファイバ１０の曲げ損失が増大することを抑制するためには、余長部収容領域３の前後方向の大きさを十分に確保する必要がある。このため、フェルール保持部２５が余長部収容領域３と干渉する恐れがあることで、光モジュール１の筐体２を小型化することができず、結果として光モジュール１の小型化に限界をもたらしていた。
＜特殊フェルールを有する光レセプタクル２０＞
【００４１】
図３Ｂは、第１実施形態の光レセプタクル２０の断面図である。前述したように、本実施形態では、チューブ２６の前側の端部がフェルール２３に挿入され、接着剤によりフェルール２３に対して引き留められている。本実施形態におけるフェルール２３は、ファイバ挿通部３７と、テーパ部３８と、引き留め部３９とを有する。なお、ファイバ挿通部３７と、テーパ部３８と、引き留め部３９とは、フェルール２３の内部に形成された挿通孔である。
【００４２】
ファイバ挿通部３７は、被覆が除去された光ファイバ１０が挿通される部位である。ファイバ挿通部３７の前側の端部には光ファイバ１０の端面が位置し、フェルール（不図示の光プラグ側フェルール及びフェルール２３）の端面同士が突き当たることによって、光ファイバの端面同士が物理的に突き当たり、光ファイバ同士が接続される。
【００４３】
テーパ部３８は、光ファイバ１０をファイバ挿通部３７に対して挿入しやすくする部位である。図３Ｂに示すように、テーパ部３８は、ファイバ挿通部３７と引き留め部３９との間に位置する。また、テーパ部３８は、後側から前側に向かって内径が縮小するテーパ状に形成されている。すなわち、光ファイバ１０が挿通されたチューブ２６が挿入される引き留め部３９側から、光ファイバ１０が挿入されるファイバ挿通部３７側に向かって内径が縮小するテーパ状に形成されている。したがって、引き留め部３９側から光ファイバ１０を挿入して、引き留め部３９に対して内径の小さいファイバ挿通部３７に光ファイバ１０を挿入させる際に、テーパ部３８の壁面により光ファイバ１０の端部を案内させることができる。
【００４４】
引き留め部３９は、チューブ２６の端部を保持する部位である。また、引き留め部３９は、接着剤によりチューブ２６と接合されることで、チューブ２６を引き留める部位でもある。前述した本比較例では、チューブ２６はフェルール保持部２５の挿通孔の後側部分に挿入され、引き留められている（図３Ａ参照）。これに対し、本実施形態では、図３Ｂに示すように、チューブ２６はフェルール２３（引き留め部３９）に挿入され、引き留められている。したがって、フェルール保持部２５には、チューブ２６を引き留める部位を設ける必要がなくなる。そうすると、本実施形態では、図３Ｂに示すように、フェルール保持部２５は、チューブ２６を引き留めていた部位の分（図３Ｂに示すＬ３）だけ前後方向に短くすることができる。言い換えれば、本比較例では、フェルール保持部２５の挿通孔に対して、引き留め領域の前後方向の長さ（図３Ａに示すＬ１及びＬ２）が直列に設けられていたのに対して、本実施形態では、引き留め領域の前後方向の長さが前後方向に重複して設けられていることになる。これにより、フェルール保持部２５（固定部品付きフェルール２２）を前後方向に小型化することができる。そうすると、図３Ｂに示すＬ３の分だけ光モジュール１の筐体２内に余長部収容領域３を確保することができるので、固定部品付きフェルール２２と光デバイス部品６との間をさらに詰めることができ、光モジュール１全体としても小型化が可能となる。
【００４５】
本比較例では、フェルール保持部２５の同一の挿通孔においてフェルール２３とチューブ２６とがそれぞれ保持されていたのに対し（図３Ａ参照）、本実施形態では、フェルール保持部２５に保持されたフェルール２３の内部（引き留め部３９）においてチューブ２６が保持されている（図３Ｂ参照）。このため、本実施形態のチューブ２６は、本比較例のチューブ２６と比べて径が小さくなっている。これにより、固定部品付きフェルール２２をさらに小型化することができる。
【００４６】
本比較例では、フェルール２３は、フェルール保持部２５の前側部分に挿入されていたのに対し（図３Ａ参照）、本実施形態では、図３Ｂに示すように、フェルール２３は、フェルール保持部２５の挿通孔全体に挿通されている（図３Ｂ参照）。このため、本実施形態のフェルール２３の引き留め領域の前後方向の長さ（図３Ｂに示すＬ４）は、本比較例のフェルール２３の引き留め領域の前後方向の長さ（図３Ａに示すＬ１）よりも長くなっている。これにより、フェルール２３とフェルール保持部２５との密着力を大きくすることができる。
【００４７】
＜固定部品付きフェルール２２の製造方法＞
図４は、第１実施形態の固定部品付きフェルール２２の製造方法のフロー図である。
【００４８】
まず、フェルール保持部２５にフェルール２３を取り付ける（Ｓ００１）。このとき、フェルール保持部２５の挿通孔に対してフェルール２３が挿入される。本実施形態では、フェルール２３は圧入によりフェルール保持部２５の挿通孔に挿入される。但し、フェルール保持部２５にフェルール２３を取り付ける方法としては、圧入に限られない。フェルール保持部２５の挿通孔がフェルール２３の外径よりもやや大きく形成されており、フェルール保持部２５の挿通孔に接着剤を充填し、フェルール２３を挿入した後に接着剤を固化させることによりフェルール保持部２５とフェルール２３とを接合させてもよい。
【００４９】
次に、光ファイバ１０の被覆を除去する（Ｓ００２）。光ファイバ１０の被膜を除去された部分の光ファイバ１０は、外径が０．２５ｍｍの光ファイバ素線となっている。そして、光ファイバ１０をチューブ２６に挿通し、接着固定する（Ｓ００３）。なお、チューブ２６の挿通孔に接着剤を充填し、光ファイバ１０をチューブ２６に挿通した後に接着剤を固化させることにより光ファイバ１０とチューブ２６とを接合させる。
【００５０】
そして、フェルール２３の内部（ファイバ挿通部３７、テーパ部３８及び引き留め部３９）に接着剤を充填する（Ｓ００４）。さらに、光ファイバ１０が挿通されたチューブ２６をフェルール２３に挿入し、接着固定する（Ｓ００５）。この際、光ファイバ１０を引き留め部３９側から挿入して、ファイバ挿通部３７に挿入させる。テーパ部３８の壁面により光ファイバ１０の端部を案内されるので、光ファイバ１０をファイバ挿通部３７に対して挿入しやすくなっている。ファイバ挿通部３７に光ファイバ１０を挿入した後、接着剤を固化させることにより光ファイバ１０が挿通されたチューブ２６と、フェルール２３とを接合させる。
【００５１】
＜起伏部４３＞
図５Ａは、フェルール２３において、チューブ２６の端部が挿入された部分を示す断面図である。図５Ｂは、チューブ２６の起伏部４３を示す断面図である。
【００５２】
前述したように、本実施形態では、フェルール２３の引き留め部３９において、チューブ２６の端部が接着固定される。また、前述したように、引き留め領域（チューブ２６におけるフェルール２３に対して挿入される外周部の領域）の表面積が大きいほど、チューブ２６と、フェルール２３との密着力は大きくなる。本比較例のチューブ２６と比較して、本実施形態のチューブ２６の径が小さくなっている。したがって、仮に本比較例のチューブ２６を使用する場合と比べると、本実施形態のチューブ２６の引き留め領域は小さくなり、チューブ２６と、フェルール２３との密着力が小さくなることがある。
【００５３】
そこで、本実施形態では、図５Ａ及び図５Ｂに示すように、チューブ２６の表面において粗面処理された起伏部４３が設けられることがある。これにより、接着剤が起伏部４３に密着するので、チューブ２６とフェルール２３との密着力が向上し、チューブ２６とフェルール２３とを強固に接合することができる。すなわち、チューブ２６が張力又はねじれ等の外力を受けても、チューブ２６がフェルール２３の引き留め部３９から抜けることを抑制することができる。
【００５４】
図５Ａ及び図５Ｂに示すように、チューブ２６の表面には、起伏部４３が設けられている。起伏部４３は、チューブ２６の周方向に沿って設けられた帯状の部位である。なお、起伏部４３は微小な凹凸を有するように粗面処理が施されている。なお、この粗面処理は、レーザ加工、塑性加工工具による塑性加工、切削加工工具による切削加工、研削加工工具による研削加工のうちの何れか１つの加工法によって施すことが可能である。図５Ｂに示すように、起伏部４３の表面は、チューブ２６の中心軸からみてチューブ２６の外周部４２の表面から内側（チューブ２６の中心軸側）に位置している。これにより、充填された接着剤４０は楔状に固化し、チューブ２６がフェルール２３から抜け出るのを防止するアンカーとして機能するため、チューブ２６とフェルール２３との密着力が向上する。但し、チューブ２６の中心軸からみてチューブ２６の外周部４２の表面とほぼ同一面上に位置してもよい。
【００５５】
図５Ａに示すように、起伏部４３は、チューブ２６の外周部４２の前後方向に複数（図５Ａでは２か所）設けられている。但し、起伏部４３は、チューブ２６の外周部４２に１か所のみ形成されていてもよいし、前後方向に３か所以上形成されていてもよい。また、図５Ｂに示すように、それぞれの起伏部４３は、チューブ２６の外周部４２の周方向に所定の角度分だけ帯状に形成されている。なお、起伏部４３は、チューブ２６の外周部の半周よりも短く形成されているが、これに限られない、起伏部４３は、チューブ２６の外周部４２の全周にわたって形成されていてもよい。また、チューブ２６の外周部４２の周方向に、所定の角度分有する帯状の起伏部４３が複数形成されていてもよい。
【００５６】
＝＝＝第２実施形態＝＝＝
図６Ａは、比較例の光レセプタクル２０の断面図である。図６Ｂは、第２実施形態の光レセプタクル２０の断面図である。なお、なお、図６Ａに示す比較例の光レセプタクル２０の断面図は、図３Ａと同様である。
【００５７】
前述の第１実施形態では、チューブ２６の前側の端部がフェルール２３に挿入され、接着剤によりフェルール２３に対して引き留められていた。これにより、フェルール保持部２５（固定部品付きフェルール２２）を前後方向に小型化することで、光モジュール１の筐体２内に余長部収容領域３を確保することができた。しかし、本実施形態では、フェルール保持部２５のチューブ２６の保持部分の肉厚を小さくすることにより、フェルール保持部２５と筐体２との間に光ファイバ１０の余長部を収容してもよい。
【００５８】
図６Ａ及び図６Ｂに示すように、外周隙間部４は、フェルール保持部２５と筐体２との間に設けられた隙間である。図６Ａに示す外周隙間部４の高さＴ１は、光ファイバ１０を収容できる高さではない。一方、本実施形態では、図６Ｂに示すように、フェルール保持部２５のチューブ２６の保持部分の肉厚を小さくすることにより、外周隙間部４の高さＴ２は、Ｔ１よりも大きくなっている（Ｔ２＞Ｔ１）。この外周隙間部４に光ファイバ１０を収容することにより、この外周隙間部４を余長部収容領域３とすることができる。
【００５９】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６０】
１  光モジュール、２  筐体、３  余長部収容領域、４  外周隙間部
６  光デバイス部品、１０  光ファイバ、
２０  光コネクタレセプタクル（光レセプタクル）、２１  ハウジング、
２２  固定部品付きフェルール、２３  フェルール、２４  固定部品、
２５  フェルール保持部、２６  チューブ、２７  スリーブ、
２８  スリット、３１  プラグ挿入部、３２、フランジ部、
３３  固定部品保持部、３６  フェルール端面、３７  ファイバ挿通部、
３８  テーパ部、３９  引き留め部、４０  接着剤、
４１  挿通孔、４２  外周部、４３  起伏部
【図１】
2019128466.tif 000003
【図２】
2019128466.tif 000004
【図３】
2019128466.tif 000005
【図４】
2019128466.tif 000006
【図５】
2019128466.tif 000007
【図６】
2019128466.tif 000008